【事件の表示】
　特願２００２−１５７３６１「写真自動販売機」拒絶査定不服審判事件〔平成１５年１２月３日出願公開、特開２００３−３４５２６４〕について、次のとおり審決する。
【結　論】
　本件審判の請求は、成り立たない。
【理　由】
１　手続の経緯及び本願発明
　本願は、平成１４年（２００２年）５月３０日に出願された特願２００２−１５７３６１号の特許出願であって、平成１９年５月２３日付の拒絶理由通知に対し、平成１９年７月２６日付の意見書とともに同日付の手続補正書が提出され、さらに、平成１９年８月２１日付の最後の拒絶理由通知に対し、平成１９年１０月１０日付の意見書とともに同日付の手続補正書が提出されたところ、前記最後の拒絶理由通知における理由により平成１９年１１月１６日付で拒絶査定がなされ、これに対し、拒絶査定不服審判の請求が平成１９年１２月２７日になされるとともに平成２０年１月２３日付の手続補正書及び同日付の早期審理に関する事情説明書が提出されたものである。
　しかして、前記平成２０年１月２３日付の手続補正書による補正は、特許請求の範囲の請求項２における引用請求項としての、明らかな誤記である「請求項２」の記載を、正しい「請求項１」の記載に訂正することを目的とする「誤記の訂正」に該当する補正であり、しかも、前記平成２０年１月２３日付の手続補正書による補正は、本願特許出願の願書に最初に添付した明細書又は図面に記載した事項の範囲内においてした補正であるから、前記平成２０年１月２３日付の手続補正書による補正は、特許法第１７条の２第４項各号に規定するいわゆる「補正の目的要件」及び同法第１７条の２第３項に規定するいわゆる「新規事項の追加禁止要件」の何れにも適合している。
　したがって、当審の審理の対象とすべき本願発明は、平成２０年１月２３日付の手続補正により補正された明細書の特許請求の範囲の請求項１ないし請求項５に記載された事項により特定されるものであるところ、そのうちの請求項１に係る発明（以下、「
本願発明１
「【請求項１】
　撮影スペースと、
　ユーザを撮影するためのカメラと、
　前記カメラにより撮影されている画像をリアルタイムで提示するディスプレイと、
　照明装置と、
　操作説明やメニューなどを提示するディスプレイと、
　操作部と、
　撮影された画像を加工しプリントするプリンタと、
　撮影された画像に対して任意の画像をユーザが書込み可能とする手段と、
　写真自動販売機の使用者の在室状況に関する情報を提示する第１の提示手段と、
　前記写真自動販売機の動作状況に関する情報として、前記写真自動販売機がプレイ動作中であるか否かを提示する第２の提示手段とを備えた、写真自動販売機。」
　
２　引用刊行物等及びそれらの記載事項
（１）原審における拒絶査定の理由に引用された、本願の特許出願前に頒布された刊行物である特開２００２−７７５８６号公報（以下、「
引用刊行物１
「【０００１】【発明の属する技術分野】　本発明は、画像印刷装置に関し、特に、アミューズメント性が高い、より効果的なサービスを提供することができる画像印刷装置に関する。」
「【００１１】【発明の実施の形態】　図１は、本発明を適用した画像印刷装置１の外観の構成例を示している。筐体１０の正面中央の垂直な面１０Ａには、カメラ支持装置１１Ａ，１１Ｂを介して撮影装置１２が設けられている。ＣＣＤ（Charge Coupled Device）カメラ１３を内蔵している撮影装置１２は、カメラ支持部材１１Ｂを軸として、あらゆる角度にＣＣＤカメラ１３の撮影方向を変更することができ、利用者は、好みの角度に調整して、自らの写真（画像）を撮影することができる。撮影装置１２は、取り込み画像表示部１４を有し、ＣＣＤカメラ１３が撮影している取り込み画像を、表示する。
　【００１２】　面１０Ａには、スライドレール１４が設けられており、利用者は、操作パネル１６に表示されている後述する操作ボタンを操作するなどして、スライドレール１４の駆動可能範囲内で、撮影装置１２を上下方向に移動させることができる。なお、カメラ支持部材１１Ａには、床からの高さを検出するセンサが、カメラ支持部材１１Ｂには、所定方向を基準として、ＣＣＤカメラ１３が撮影している撮影角度を検出するセンサが、それぞれ設けられている。カメラ支持部材１１Ａ，１１Ｂのセンサにより検出された高さ、および撮影角度の情報は、撮影方向検出装置５０（図３）に通知される。
　【００１３】　筐体１０の正面に向かって、面１０Ａの左右、かつ、筐体１０の上半分の、ほぼ垂直な面１０ＬＢ，１０ＲＢにそれぞれ配置されている照明装置１５Ｌ，１５Ｒは、撮影の際のフラッシュとして機能するとともに、筐体１０および利用者を囲むカーテン３１（図２）、および背景パネル３２（図２）により外光が遮断されているため、撮影前の状態においても利用者を照明する。
　【００１４】　筐体１０の正面に向かって、面１０Ａの右側、かつ、筐体１０のほぼ中央の、若干上方を向いている面１０ＲＣに配置されている操作パネル１６は、液晶ディスプレイまたはＣＲＴ（Cathode-Ray Tude）より構成されるモニタと、その上部に積層されるタッチパネルから構成される。ＣＣＤカメラ１３により撮影された画像が操作パネル１６に表示されるため、利用者は、操作パネル１６に直接触れることにより、撮影画像に後述する落書き処理を施すことができる。また、操作パネル１６には、撮影画像の他に、画像プリントの作成、および印刷処理の進行段階に応じて種々の選択ボタン、メッセージなどが表示され、操作パネル１６に表示された選択ボタンに直接触れて、選択することにより撮影手順が進行される。
　【００１５】　筐体１０の正面に向かって、面１０Ａの左側、かつ、筐体１０のほぼ中央の、若干上方を向いている面１０ＬＣには、基本的な撮影手順などが、文字を直接プリントするなどして表示されている。また、面１０ＬＣにも、面１０ＲＣに設けられているような操作パネルを設置することができ、これにより、複数の利用者が、編集情報などを、同時に入力しやすくすることができる。さらに、撮影進行に関する基本的な操作ボタン（例えば、撮影開始を指示するとき操作される撮影ボタン、または撮影装置１２の高さを調整するとき操作される調整ボタンなど）を配置するようにしても良い。
　【００１６】　筐体１０の正面に向かって、面１０Ａの左右、かつ、筐体１０の下半分の、ほぼ垂直な面１０ＬＤ，１０ＲＤに、それぞれ配置されている照明装置１７Ｌ，１７Ｒは、照明装置１５Ｌ，１５Ｒと同様の機能を有している。また、面１０ＬＤの左上には、硬貨投入口１８が設けられており、利用者が所定の代金を投入すると、撮影手順が開始される。
　【００１７】　筐体１０の左右の側面には、それぞれスピーカ１９Ｌ（図２），１９Ｒが設けられており、利用者に対して、硬貨を投入してからの撮影手順を案内する音声ガイダンスや、利用者が操作パネル１６に表示されている自分自身の撮影画像に対して、編集入力する際の音声ガイダンスなどをステレオ方式で出力する。
　【００１８】　図２は、図１の画像印刷装置１を他の装置と組み合わせた状態を示しており、筐体１０の上部に設けられている図示せぬカーテンフレームに、カーテン３１が取り付けられている。カーテン３１は、外光を遮断し、良好な画像を撮影することができるようにする。また、撮影している利用者の背景となる部分に、背景パネル３２が取り付けられている。さらに、筐体１０の左側面には、シール取出口３０が設けられており、撮影し、画像編集した撮影画像が、所定数に分割されたシールに印刷されて排出される。」
「【００１９】　図３は、画像印刷装置１の内部の電気的構成例を示すブロック図である。図１および図２と対応する部分については同一符号を付してある。
　【００２０】　ＣＰＵ（Central Processing Unit）４２は、ＲＯＭ（Read Only Memory）４３に記憶されているプログラムに従って、全体の動作、処理を制御する。そのため、各処理部は、バス４１を介してＣＰＵ４２に接続され、制御される。
　【００２１】　ＲＡＭ（Random Access Memory）４４は、ＣＰＵ４２が実行するプログラムの他、作業用データを記憶するとともに、各処理部において利用者が行った選択、指示などのデータを一時的に記憶する。
　【００２２】　ドライバ４５は、図示せぬＣＤ−ＲＯＭ（Compact Disk-Read Only Memory）などの記録媒体を駆動し、記録情報を読み出す。ＣＤ−ＲＯＭなどの記録媒体には、撮影処理、落書き処理などを含む種々の処理を行うためのプログラムが記録されており、それらのプログラムは実行時に、ＲＡＭ４４に転送されて実行される。また、ＣＤ−ＲＯＭには、音声のガイダンスデータが記録されており、音声出力装置５４は、ＣＰＵ４２の指示に基づいてＣＤ−ＲＯＭに記録されている音声ガイダンスデータを読み出してスピーカ１９Ｌ，１９Ｒに出力する。スピーカ１９Ｌ，１９Ｒが利用者に対して出力するガイダンスには、操作方法や、撮影直前のカウントダウンなどが含まれる。
　【００２３】　また、ドライバ４５が図示せぬＣＤ−ＲＯＭから読み出す記録情報には、ＣＣＤカメラ１３が撮影した被写体の画像データの前景として合成されるフレーム画像データ、および被写体の画像データの背景として合成される背景画像データが含まれる。
　【００２４】　硬貨処理部４６は、硬貨投入口１８から投入された硬貨の金額を検出し、所定の代金が投入されたと判定した場合、その旨をＣＰＵ４２に通知する。
　【００２５】　プリンタ４７は、画像シールを作成する部分であり、ＣＣＤカメラ１３により撮影され、後述の落書き処理などが施された後の画像（プリントすべきものとして確定した画像であり、以下、これをプリント画像と称する）をシール紙などに印刷し、出力する。プリンタ４７は、利用者が選択したプリント画像を、所定の分割単位で剥がせるようなシールシート上に印刷する。
　【００２６】　撮影装置１２には、ＣＣＤカメラ１３および取り込み画像表示部１４の他に、ズーム駆動モータ４８が内部に配置される。ズーム駆動モータ４８は、例えば、利用者が操作パネル１６に表示された不図示のズーム調整ボタンを操作することにより入力した信号を受信したＣＰＵ４２からの指示に基づいて、ズーム機能を駆動する。
　【００２７】　撮影装置駆動モータ４９も、ズーム駆動モータ４８と同様に、例えば、利用者が操作パネル１６に表示された不図示の高さ調整ボタンを操作することにより入力した信号を受信したＣＰＵ４２からの指示に基づいて、撮影装置１２の高さを調整する。
　【００２８】　撮影方向検出装置５０は、カメラ支持部材１１Ａのセンサから常に通知される撮影装置１２の床からの高さ、およびカメラ支持部材１１Ｂのセンサから常に通知されるＣＣＤカメラ１３の撮影角度に基づいて、撮影装置１２の撮影方向を検出し、合成画像生成装置５１に対して常に通知する。
　【００２９】　合成画像生成装置５１は、画像を合成するためのフレームバッファを有しており、ＣＣＤカメラ１３が撮影した利用者の画像に、ドライバ４５から提供されたフレーム画像および背景画像を合成し、合成した画像情報を、モニタ５２にリアルタイムで表示させる。合成処理のためのフレームバッファは、被写体の画像用の領域と、背景画像用の領域と、フレーム画像用の領域とに分けられている。それぞれの画像データは、画素毎に数値化され、合成画像生成装置５１は、それぞれの領域毎に設定された閾値に基づいて、画像合成処理を行う。また、ドライバ４５から提供されるフレーム画像および背景画像は、３次元のＣＧ（Compute Graphics）データであるため、合成画像生成装置５１は、撮影方向検出装置５０から常に通知される撮影装置１２の撮影方向に応じて、フレーム画像および背景画像の表示角度を演算して、合成処理する。合成処理の詳細については、後述する。
　【００３０】　合成画像生成装置５１は、利用者が操作パネル１６に表示されている不図示の撮影ボタンを操作することにより行われた撮影のタイミングに併せて、その瞬間に合成処理した画像を内部の記憶部に記憶する。合成画像生成装置５１は、複数枚の合成画像を記憶できるが、例えば、本実施の形態においては、利用者の回転率等を考慮して、最大４枚まで記憶することができる。
　【００３１】　また、合成画像生成装置５１は、画像合成処理のためのフレームバッファの他に、編集処理のためのフレームバッファを有する。フレームバッファは、デュアルポートメモリにより構成され、それぞれの領域が一枚分の撮影画像を記憶できる２つの領域に分けて使用される。フレームバッファの第１の領域には、利用者が選択した編集処理の対象の合成画像が入力され、記憶される。
　【００３２】　一方、第２の領域は、落書き処理や明るさ調整などの編集処理において使用される記憶領域であり、利用者が編集対象の合成画像を選択した時点では、第１の領域と同一の合成画像が記憶される。すなわち、編集処理（落書き処理）において、利用者が操作パネル１６から落書きを入力すると、その入力データがタッチパネル５３を介して第２の領域内に書き込まれる。なお、利用者は、消しゴム処理を指定することにより、一度付加した落書きを消去し、元の画像に戻すことができる。その場合、合成画像生成装置５１は、その消しゴムで指定された部分の画像データを第１の領域から読み出し、第２の領域に書き込ことにより、利用者が消しゴムで指定した部分を、落書き処理を行う前の合成画像にもどす。
　【００３３】　合成画像生成装置５１は、ＣＰＵ４２からの指示に基づいて合成画像とともに、ドライバ４５から供給される撮影手順の案内画面などをモニタ５２に表示させる。また、合成画像生成装置５１は、モニタ５２の上に積層されている透明なタッチパネル５３からの入力情報を検出し、ＣＰＵ４２に通知する。」
「【００３９】　ステップＳ５において、ＣＰＵ４２は、カウントダウン画像を表示し、フレーム画像を撮影する。撮影までのカウントダウンの画像には、例えば、数字が所定の周期で、５，４，３，２，１と順次小さい値となる画像などが含まれており、ＣＰＵ４２は、カウントダウン画像に併せて、スピーカ１９Ｌ，１９Ｒから音声でカウントダウンを出力させる。
　【００４０】　また、ステップＳ５の処理でカウントダウンの処理が終了したとき、ＣＰＵ４２は、ＣＣＤカメラ１３に対して、撮影することを指示する。それと同時に、照明装置１５Ｌ，１５Ｒおよび照明装置１７Ｌ，１７Ｒに対して、フラッシュの発生を指示する。」
「【００６２】　ステップＳ１３において、ＣＰＵ４２は、操作パネル１６にカウントダウン画像を表示させる。操作パネル１６に表示されるカウントダウン画像は、ステップＳ５の処理で表示される画像と同様の画像である。
　【００６３】　ステップＳ１３の処理でカウントダウンの処理が終了したとき、ステップＳ１４において、ＣＰＵ４２は、ＣＣＤカメラ１３に対して撮影することを指示する。それと同時に、照明装置１５Ｌ，１５Ｒおよび照明装置１７Ｌ，１７Ｒに対して、フラッシュの発生を指示する。このとき、ＣＣＤカメラ１３が撮影した合成画像データは、合成画像生成装置５１に記憶される。」
「【００６８】　ステップＳ１８において、ＣＰＵ４２は、モニタ５２（操作パネル１６）に、選択した画像に対して、利用者が落書き処理を行うか否かを選択するボタンを表示させる。そして、ＣＰＵ４２は、タッチパネル５３からの通知に基づいて、落書き処理が選択されたか否か（そのボタンが操作されたか否か）を判定する。ＣＰＵ４２は、タッチパネル５３からの通知に基づいて、落書き処理を実行することが選択されたと判定した場合、ステップＳ１９の処理に進む。
　【００６９】　ステップＳ１９において、ＣＰＵ４２は、落書き画面をモニタ５２（操作パネル１６）に表示させる。落書き画面には、利用者に対して、撮影画像に落書する色を選択するとき操作される「色選択ボタン」、落書きの線の太さを選択するとき操作される「太さ選択ボタン」、落書き処理を終了して、落書き編集されたプリント画像をプリントするとき操作される「プリントボタン」などが表示される（いずれも図示せず）。
　【００７０】　また、ステップＳ１９において、ＣＰＵ４２は、落書き入力に基づいて画像編集処理を実行する。すなわち、ＣＰＵ４２は、合成画像生成装置５１の編集処理用のフレームバッファの第２の領域に記憶されている画像に対して、画像データを上書きする。」
　
　そうしてみると、引用刊行物１の上記摘記事項及び図面の図示からみて、前記引用刊行物１には、次の発明（以下、「
引用発明１
「筐体１０と利用者を囲み良好な画像を撮影するようにするカーテン３１、及び撮影している利用者の背景となる部分に取り付けられている背景パネル３２により外光が遮断され、前記筐体１０の正面中央の垂直な面１０Ａに撮影装置１２が設けられている画像印刷装置１において、
　前記画像印刷装置１は、
　前記筐体１０の前記面１０Ａの左側、かつ、筐体１０のほぼ中央の、若干上方を向いている面１０ＬＣに、文字を直接プリントされている基本的な撮影手順などの表示と、
　利用者が所定の代金を投入すると、撮影手順が開始される硬貨投入口１８と、
　利用者が好みの角度に調整して、利用者自らの画像を撮影することができる前記撮影装置１２が内蔵するＣＣＤカメラ１３と、
　前記ＣＣＤカメラ１３が撮影している取り込み画像を表示する取り込み画像表示部１４と、
　前記筐体１０の正面中央の垂直な面１０Ａの左右にそれぞれ配置され、撮影の際のフラッシュとして機能するとともに撮影前の状態においても利用者を照明する照明装置１５Ｌ，１５Ｒ及び照明装置１７Ｌ，１７Ｒと、
　撮影画像の他に、画像プリントの作成、および印刷処理の進行段階に応じて種々の選択ボタン、メッセージなどが表示され、前記選択ボタンに直接触れて選択することにより撮影手順が進行される操作パネル１６と、
前記ＣＣＤカメラ１３により撮影された画像及び前記ＣＰＵ４２からの指示に基づいて合成画像とともにドライバ４５から供給される撮影手順の案内画面などが表示される液晶ディスプレイまたはＣＲＴより構成される前記操作パネル１６のモニタ５２と、
　前記操作パネル１６のモニタ５２の上に積層されている透明なタッチパネル５３と、
　ＲＯＭ４３に記憶されているプログラムに従って、全体の動作、処理を制御するＣＰＵ４２と、
　前記ＣＣＤカメラ１３が撮影した利用者の画像に、ドライバ４５から提供されたフレーム画像および背景画像を合成し、合成した画像情報を、モニタ５２にリアルタイムで表示させるとともに、編集処理（落書き処理）において、利用者が操作パネル１６から落書きを入力すると、その入力データがタッチパネル５３を介して書き込まれる第２の領域を有する合成画像生成装置５１と、
　前記ＣＣＤカメラ１３により撮影され、プリントすべきものとして確定したプリント画像を所定の分割単位で剥がせるようなシールシート上に印刷し、出力するプリンタ４７と、
　利用者が硬貨を投入してからの撮影手順を案内する音声ガイダンスや、利用者が操作パネル１６に表示されている自分自身の撮影画像を編集入力する際の音声ガイダンスなどをステレオ方式で出力するスピーカ１９Ｌ，１９Ｒと、を備え、
　前記ＣＰＵ４２が、フレーム画像の撮影時及びＣＣＤカメラ１３の撮影時に、数字が所定の周期で５，４，３，２，１と順次小さい値となるような撮影までのカウントダウン画像を前記操作パネル１６に表示するとともに、前記カウントダウン画像に併せて、スピーカ１９Ｌ，１９Ｒから音声でカウントダウンを出力させ、
　選択した撮影画像に対して利用者が落書き処理を行なう選択をした場合に、前記操作パネル１６のモニタ５２に表示された落書き画面に対し利用者が色選択ボタン、太さ選択ボタン等で入力した落書き入力に基づいて前記ＣＰＵ４２が前記合成画像生成装置５１の編集処理用のフレームバッファの第２の領域に記憶されている画像に対して画像データを上書きすることにより、画像編集処理を実行するようにした画像印刷装置１」
　
（２）原審における拒絶査定の理由に引用された、本願の特許出願前に頒布された刊行物である特開２０００−１０４３７１号公報（以下、「
周知技術文献１
　
（３）原審における拒絶査定の理由に引用された、本願の特許出願前に頒布された刊行物である特開平９−２１２６９６号公報（以下、「
周知技術文献２
「【０００１】【発明の属する技術分野】　本発明は、有料のカラオケルーム、レンタルルーム、更衣室、シャワー室、トイレ等の有料貸室の料金徴収装置の技術分野に属するものである。」
「【０００５】【発明の実施の形態】　次に、本発明の実施の形態の一つを図面に基づいて説明する。図面において、１は貸室の出入口に取付けられるドア体であって、該ドア体１は、ドアノブ２の操作で開閉するドアパネル３と、常時は閉鎖位置にロックされる袖パネル４とで構成されているが、前記袖パネル４には、後述する料金徴収装置５と、ドアパネル３の開閉を検知するドア開閉検知センサ（光電スイッチ）６とが組み込まれている。
　【０００６】　前記料金徴収装置５には、専用のプリペイドカードを取り扱うためのカード取扱装置７、現金（紙幣および硬貨）を取り扱うための現金取扱装置８、室内外で会話するためのインターホン９、ソレノイドのＯＮ−ＯＦＦにより施錠作動および解錠作動を行う電動錠１０、マイクロコンピュータを用いて構成される制御部１１等が組み込まれているが、さらに、室外側操作パネル５ａには、入室許可時に電動錠１０を解錠操作するための室外側解錠スイッチ１２Ａ、投入料金を返却するための室外側返却スイッチ１３Ａ、基本料金や不足料金を表示するための室外側表示部１４Ａ、室外側表示部１４Ａの表示を切換えるための室外側表示切換スイッチ１５Ａ、メッセージを流すための室外側スピーカ１６Ａ、警報を流すための室外側ブザー１７Ａ、空室、使用中、料金不足、入室ＯＫ等の表示を行う室外側表示ランプ１８Ａ等が組込まれる一方、室内側操作パネル５ｂには、退室許可時に電動錠１０を解錠操作するための室内側解錠スイッチ１２Ｂ、投入料金を返却するための室内側返却スイッチ１３Ｂ、使用可能時間や精算料金表示を行うための室内側表示部１４Ｂ、室内側表示部１４Ｂの表示を切換えるための室内側表示切換スイッチ１５Ｂ、メッセージを流すための室内側スピーカ１６Ｂ、警報を流すための室内側ブザー１７Ｂ、料金不足、退室ＯＫ等の表示を行う室内側表示ランプ１８Ｂ、使用時間を延長するための延長スイッチ１９、時間超過時に精算を行うための精算スイッチ２０等が組込まれている。」
　
（４）原審における拒絶査定の理由に引用された、本願の特許出願前に頒布された刊行物である特開平１−１３４５９４号公報（以下、「
周知技術文献３
「［産業上の利用分野］
　本発明は、トイレ、個人用の小さな部屋、会議室等の部屋の使用状態を、外部から該部屋に入室しようとする者に知らせる部屋の使用状態連絡装置に関する。」（２頁左上欄１〜５行）
「また、制御ボックス３９は、前記マイクロコンピュータ１５のほかに、電源回路１６、音声合成回路１７、増幅器１８及び表示器制御回路１９を収納している。電源回路１６は乾電池又は太陽電池をその電力源とするもので、各回路に必要に応じて電力を供給する。音声合成回路１７はバス１５ａに接続されており、マイクロコンピュータ１５からの発音制御信号の到来により動作して『入ってます』、『使用中です』、『しばらくお待ち下さい』等の音声を表す音声信号を合成する。増幅器１８は音声合成回路１７に接続され、同合成回路１７からの音声信号を増幅してスピーカ２１に出力する。スピーカ２１は表示ボックス３２に収納されている。表示器制御回路１９はマイクロコンピュータ１５からの表示制御信号の到来により動作して『入ってます』、『使用中です』、『しばらくお待ち下さい』等の文字又は使用中を示す図に関する信号を表示器２２に出力する。表示器２２は表示ボックス３２に収納されるとともに発光素子群により構成され、表示器制御回路１９からの信号に基づき前記文字又は図を表示する。」（４頁左上欄３行〜同頁右上欄３行）
「一方、トイレ３０が使用中である場合には、プログラムは前述のように前記ステップ４７，４９の判定処理によりステップ５０に進められ、ステップ５０以降の処理が実行される。かかる場合、ＣＰＵ１５ｃはステップ５０にて音声合成回路１７へ発音制御信号を出力する。音声合成回路１７は該制御信号の到来に応じて動作を開始し、『入ってます』、『使用中です』、『しばらくお待ち下さい』等の音声を表す音声信号を合成して増幅器１８を介してスピーカ２１に出力する。これにより、スピーカ２１は前記音声をトイレ３０の外側に向けて発生するので、トイレ３０内に入室しようとした者には該トイレ３０が使用中である旨が聴覚的に知らせられる。
　上記ステップ５０の処理後、ＣＰＵ１５ｃは、ステップ５１にて時間計数値ＴＣＮＴを「０」に初期設定した後、ステップ５４にて該計数値ＴＣＮＴを「１」ずつ増加させるとともにステップ５２にて該計数値ＴＣＮＴが例えば約２０秒に相当する値Ｔ２０以上であるか否かの判定をしながら、該計数値ＴＣＮＴが前記値Ｔ２０以上になるまでステップ５２〜５４からなる循環処理を実行する。かかる循環処理中、ＣＰＵ１５ｃはステップ５３にて表示器制御回路１９へ表示制御信号を出力し続ける。これにより、表示器制御回路１９は、約２０秒間、『入ってます』、『使用中です』、『しばらくお待ち下さい』等の文字又は使用中を表す図に関する信号を表示器２２に出力し、表示器２２は前記文字又は図を表示するので、トイレ３０内に入室しようとした者には該トイレ３０が使用中である旨が視覚的にも知らせられる。」（６頁左上欄３行〜同頁右上欄１３行）
「また、本発明はトイレ３０にのみ適用されるものではなく、例えば個人用の小さな部屋、小さな会議室、浴室、ホテルの部屋等に適用してもよいことはもちろんである。」（７頁右上欄３〜６行）
　
（５）原審における拒絶査定の理由に引用された、本願の特許出願前に頒布された刊行物である特開平２−２３９１７号公報（以下、「
周知技術文献４
「［産業上の利用分野］
　この発明は料金の管理によって風呂、シャワーを自由に利用できるバスルーム構成装置に関するものである。」（２頁右上欄１９行〜同頁左下欄３行）
「（３７）は浴室（１０）内が現在使用可能または使用中であるかを表示する案内表示手段で、ランプの点灯によって表示される。（３８）は現在使用中のときの残り使用可能時限を外部に表示する外部残時限表示手段で、ディジタル字形表示される。（３９）は現在使用中のときの残り使用可能時間を浴室（１０）の内部で表示する内部残時限表示手段で、電気信号によりディジタル字形表示される。」（４頁左下欄９〜１７行）
「風呂桶（１１）の中の残り湯が全て排出されると、ステップＳ２で案内表示手段（３７）で『使用可能』の表示を行なう。ここで、次の利用者の使用が可能となる。」（５頁左上欄４〜７行）
「利用者が料金を貨幣投入検出手段（３１）に投入し、投入された料金が所定金額に達すると、ステップＳ４で制御装置（３０）のタイマを始動する。ステップＳ５で案内表示手段（３７）を駆動して『使用中』の表示を行なう。」（５頁１２〜１６行）
「ステップＳ１１で流量計（３４）からの信号により、給湯配管（２２）内を流れた湯が所定量に達したかどうかを判定する。湯量が所定量に達していないときにはステップＳ１２に進み、ステップ１２で制御装置（３０）のタイマにより浴室（１０）内の内部残時限表示手段（３９）及び外部の外部残時限表示手段（３８）で利用者の残り使用時限を表示する。内部残時限表示手段（３９）に表示されることにより浴室（１０）内の利用者は使用できる残りの時限を知ることができる。また、外部残時限表示手段
（４０）
　
（６）原審における拒絶査定の理由に引用された、本願の特許出願前に頒布された刊行物である特開平７−３２０１４５号公報（以下、「
周知技術文献５
　
３　当審の判断
（１）対比
　本願発明１と上記引用発明１とを対比する。
　まず、引用発明１における「利用者が好みの角度に調整して、利用者自らの画像を撮影することができる前記撮影装置１２が内蔵するＣＣＤカメラ１３」、「前記ＣＣＤカメラ１３が撮影している取り込み画像を表示する取り込み画像表示部１４」、「前記筐体１０の正面中央の垂直な面１０Ａの左右にそれぞれ配置され、撮影の際のフラッシュとして機能するとともに撮影前の状態においても利用者を照明する照明装置１５Ｌ，１５Ｒ及び照明装置１７Ｌ，１７Ｒ」、「前記操作パネル１６のモニタ５２の上に積層されている透明なタッチパネル５３」、「前記ＣＣＤカメラ１３により撮影され、プリントすべきものとして確定したプリント画像を所定の分割単位で剥がせるようなシールシート上に印刷し、出力するプリンタ４７」及び「画像印刷装置１」のそれぞれが、本願発明１の「ユーザを撮影するためのカメラ」、「前記カメラにより撮影されている画像をリアルタイムで提示するディスプレイ」、「照明装置」、「操作部」、「撮影された画像を加工しプリントするプリンタ」及び「写真自動販売機」にそれぞれ相当することは明らかである。
　そして、引用発明１の「前記筐体１０の前記面１０Ａの左側、かつ、筐体１０のほぼ中央の、若干上方を向いている面１０ＬＣに、文字を直接プリントされている基本的な撮影手順などの表示」及び「撮影画像の他に、画像プリントの作成、および印刷処理の進行段階に応じて種々の選択ボタン、メッセージなどが表示され、前記選択ボタンに直接触れて選択することにより撮影手順が進行される操作パネル１６」は、利用者に引用発明１の画像印刷装置１の利用方法などを説明し、操作手順等を案内するために利用者に提示される表示（ディスプレイ）手段であるといえるものであるから、前記引用発明１の前記「前記筐体１０の前記面１０Ａの左側、かつ、筐体１０のほぼ中央の、若干上方を向いている面１０ＬＣに、文字を直接プリントされている基本的な撮影手順などの表示」及び「撮影画像の他に、画像プリントの作成、および印刷処理の進行段階に応じて種々の選択ボタン、メッセージなどが表示され、前記選択ボタンに直接触れて選択することにより撮影手順が進行される操作パネル１６」は、本願発明１の「操作説明やメニューなどを提示するディスプレイ」に相当するものである。
　また、引用発明１は、「筐体１０と利用者を囲み良好な画像を撮影するようにするカーテン３１、及び撮影している利用者の背景となる部分に取り付けられている背景パネル３２により外光が遮断され、前記筐体１０の正面中央の垂直な面１０Ａに撮影装置１２が設けられている画像印刷装置１」であるから、前記引用発明１が、利用者を囲み良好な画像を撮影するようにするための筐体１０、カーテン３１、及び背景パネル３２からなる「撮影スペース」を有していることは、自明である。
　さらに、引用発明１は、編集処理（落書き処理）において、利用者が操作パネル１６から落書きを入力すると、その入力データがタッチパネル５３を介して書き込まれる第２の領域を有する合成画像生成装置５１を有しており、選択した撮影画像に対して利用者が落書き処理を行う選択をした場合に、前記操作パネル１６のモニタ５２に表示された落書き画面に対し利用者が色選択ボタン、太さ選択ボタン等で入力した落書き入力に基づいて前記ＣＰＵ４２が前記合成画像生成装置５１の編集処理用のフレームバッファの第２の領域に記憶されている画像に対して画像データを上書きすることにより、画像編集処理を実行するようになっていることから、引用発明１の前記「合成画像生成装置５１」が、本願発明１の「撮影された画像に対して任意の画像をユーザが書込み可能とする手段」に相当する。
　しかして、引用発明１は、利用者が硬貨を投入してからの撮影手順を案内する音声ガイダンスや、利用者が操作パネル１６に表示されている自分自身の撮影画像を編集入力する際の音声ガイダンスなどをステレオ方式で出力するスピーカ１９Ｌ，１９Ｒを備えており、また、前記ＣＰＵ４２が、フレーム画像の撮影時及びＣＣＤカメラ１３の撮影時に、数字が所定の周期で５，４，３，２，１と順次小さい値となるような撮影までのカウントダウン画像を前記操作パネル１６に表示するとともに、前記カウントダウン画像に併せて、スピーカ１９Ｌ，１９Ｒから音声でカウントダウンを出力させるようになっているものである。
　そうすると、引用発明１の「利用者が硬貨を投入してからの撮影手順を案内する音声ガイダンスや、利用者が操作パネル１６に表示されている自分自身の撮影画像を編集入力する際の音声ガイダンスなどをステレオ方式で出力するスピーカ１９Ｌ，１９Ｒ」及び「フレーム画像の撮影時及びＣＣＤカメラ１３の撮影時に、数字が所定の周期で５，４，３，２，１と順次小さい値となるような撮影までのカウントダウン画像を前記操作パネル１６に表示するとともに、前記カウントダウン画像に併せて、スピーカ１９Ｌ，１９Ｒから音声でカウントダウンを出力させるＣＰＵ４２」は、引用発明1の画像印刷装置１の動作状況に関する情報としての、前記画像印刷装置１が動作中であることを音声及び画像表示により情報伝達する情報提示手段であるといえるものであるから、引用発明１の前記「利用者が硬貨を投入してからの撮影手順を案内する音声ガイダンスや、利用者が操作パネル１６に表示されている自分自身の撮影画像を編集入力する際の音声ガイダンスなどをステレオ方式で出力するスピーカ１９Ｌ，１９Ｒ」及び「フレーム画像の撮影時及びＣＣＤカメラ１３の撮影時に、数字が所定の周期で５，４，３，２，１と順次小さい値となるような撮影までのカウントダウン画像を前記操作パネル１６に表示するとともに、前記カウントダウン画像に併せて、スピーカ１９Ｌ，１９Ｒから音声でカウントダウンを出力させるＣＰＵ４２」が、本願発明１の「前記写真自動販売機の動作状況に関する情報として、前記写真自動販売機がプレイ動作中であるか否かを提示する第２の提示手段」に相当するといえる。
　
　そうすると、本願発明１と引用発明１の両者は、
「撮影スペースと、
　ユーザを撮影するためのカメラと、
　前記カメラにより撮影されている画像をリアルタイムで提示するディスプレイと、
　照明装置と、
　操作説明やメニューなどを提示するディスプレイと、
　操作部と、
　撮影された画像を加工しプリントするプリンタと、
　撮影された画像に対して任意の画像をユーザが書込み可能とする手段と、
　前記写真自動販売機の動作状況に関する情報として、前記写真自動販売機がプレイ動作中であるか否かを提示する第２の提示手段とを備えた、写真自動販売機」
である点で一致し、次の点で両者の構成が相違する。
　
相違点
　
（２）相違点についての検討
　引用発明１は、前述したように「筐体１０と利用者を囲み良好な画像を撮影するようにするカーテン３１、及び撮影している利用者の背景となる部分に取り付けられている背景パネル３２により外光が遮断され、前記筐体１０の正面中央の垂直な面１０Ａに撮影装置１２が設けられている画像印刷装置１」であり、前記画像印刷装置１を使用して写真を撮影するに際しては、前記画像印刷装置１の内部に利用者が入って撮影の操作を行なうのであり、そして、利用者が前記画像印刷装置１の内部に入ったときには、外光を遮断するために、筐体１０と利用者を囲み良好な画像を撮影するようにするカーテン３１を、「カーテン３１が開の状態」から「カーテン３１が閉の状態」にすることは自明のことである。したがって、前記画像印刷装置１の内部に利用者が入っているときに、声を掛けたりあるいは内部を覗いたりするなどして、断りなく外部から内部の状況を把握することは憚られるのであり、そのような行為は利用者のマナーに反することとなるものと容易に想像ができることといえるから、引用発明１の前記画像印刷装置１は、いわゆる「内部に装置使用者が入り、操作を行なうことができ、装置使用者が内部に入ったときには断りなく外部から内部の状況を把握することがマナーに反する装置」の範疇に入る装置であるといえる。
　さすれば、前記「装置使用者が内部に入ったときには断りなく外部から内部の状況を把握することがマナーに反する装置」としての前記画像印刷装置１を利用するに際しては、当該画像印刷装置１の使用時における外界からの視線を遮ることにより利用者のプライバシーを確保する目的において、前記カーテン３１を、「カーテン３１が開の状態」から「カーテン３１が閉の状態」にすることが通常になされているのであり、そのカーテン３１の開閉状態を外部の者が視認することにより、当該画像印刷装置１の利用状況、すなわち内部に利用者が入っているか否かが把握できるように、利用者は当該画像印刷装置１の内部に入ったときにはカーテン３１を閉める行為が、当該画像印刷装置１の利用者に期待されているといえる。
　以上のことから、引用発明１における前記カーテン３１が、カーテン３１の開閉状態の提示により、画像印刷装置１の利用者の在室状況に関する情報を提示する情報提示手段の一種であるということもできるところ、しかしながら、引用発明１においては、前記カーテン３１の存在が、引用発明１の画像印刷装置１の利用者の在室状況に関する情報を提示する手段として明確に位置づけられていない点で、本願発明１が備える「写真自動販売機の使用者の在室状況に関する情報を提示する第１の提示手段」と相違しているといえる。
　一方、不特定多数の客が利用する装置において、当該装置の利用の際の利用者の待ち時間に関しては、一般的にいえば、当該装置を利用しようとする客の人数がその装置の数量に比して多数である場合には、先客が当該装置を明け渡すまでの間に当該装置を次に利用しようとする者が待機する時間は長く感じられ、その間イライラするものであることは、本願発明１の「写真自動販売機」に限らず、個人的に利用する「トイレ」、「浴室」等の装置だけではなく、多人数が利用する「会議室」等の、いわゆる「装置使用者が内部に入ったときには断りなく外部から内部の状況を把握することがマナーに反する装置」においては、ごく日常的に見られるところの、装置の利用の際の利用者の待ち時間に関する一般的で普遍的な事態であるといえる。
　そして、引用発明１の画像印刷装置１においては、そのカーテン３１の開閉状況により、先客の利用の有無が外部から把握できるのであり、カーテン３１の状況を見ている限りにおいては、先客の利用の有無が外部から把握することが可能であったのであるから、前述したように、カーテン３１の存在が、かかる事態を解消するための、画像印刷装置１の利用者の在室状況に関する情報を提示する情報提示手段であったといえる。
　以上のことからみて、上記のような事態を解消しようとする課題は、本願特許出願時において、それ以前から普遍的に存在していた、いわゆる「装置使用者が内部に入ったときには断りなく外部から内部の状況を把握することがマナーに反する装置」に共通する課題であったといえるから、特に本願発明１のような「写真自動販売機」について、本願特許出願人（審判請求人）が初めて認識した新規な課題である旨の本願特許出願人（審判請求人）の主張は、到底採用することができない。
　しかして、いわゆる「装置使用者が内部に入ったときには断りなく外部から内部の状況を把握することがマナーに反する装置」における使用者の在室状況を把握することができるようにするという前記課題を解消するための手段としては、次に示すような種々の技術手段が本願特許出願前に既に考えられてきている。
　すなわち、上記周知技術文献１〔特開２０００−１０４３７１号公報〕には、「センサ付スイッチ１７およびセンサ付スイッチ１７を介して電源に接続された表示灯１３を設けることにより、接客ブース内の人の存在を感知させるとともに、センサ部１８の検出結果に基づいて表示灯１３への電力の供給を許容・遮断するようにした各接客用ブースの使用状況を即座に判別可能とすることができる応接システム」が記載されている。
　つぎに、上記周知技術文献２〔特開平９−２１２６９６号公報〕には、「ドア体１に、メッセージを流すための室外側スピーカ１６Ａ、警報を流すための室外側ブザー１７Ａ、空室、使用中、料金不足、入室ＯＫ等の表示を行う室外側表示ランプ１８Ａ等が組込まれている料金徴収装置５を設けた、有料のカラオケルーム、レンタルルーム、更衣室、シャワー室、トイレ等の有料貸室」が記載されている。
　また、上記周知技術文献３〔特開平１−１３４５９４号公報〕には、「トイレ３０内に入室しようとした者に、該トイレ３０が使用中である旨が『入ってます』、『使用中です』、『しばらくお待ち下さい』等の音声を表す音声信号を合成して増幅器１８を介して出力するスピーカ２１により聴覚的に、また『入ってます』、『使用中です』、『しばらくお待ち下さい』等の文字又は使用中を表す図に関する信号を出力する表示器２２により視覚的に知らせることができるようにした、トイレ、個人用の小さな部屋、会議室等の部屋の使用状態を、外部から該部屋に入室しようとする者に知らせる部屋の使用状態連絡装置」が記載されている。
　そして、上記周知技術文献４〔特開平２−２３９１７号公報〕には、「『使用可能』又は『使用中』の表示を行なう案内表示手段（３７）を備えた風呂、シャワーを自由に利用できるバスルーム構成装置」が記載されている。
　さらに、上記周知技術文献５〔特開平７−３２０１４５号公報〕には、「各シャワー室の使用状況を表示する表示部６を備え、使用を開始すれば使用中の表示に切り換える、複数のシャワー室の使用状況が一目で分かるコインシャワーユニット」が記載されている。
　かかる上記周知技術文献１ないし周知技術文献５における記載からみて、「施設の使用者の在室状況に関する情報を提示する提示手段」は、本願特許出願時の周知慣用技術であるといえる。
　してみれば、引用発明１の「画像印刷装置１」に対して、前記周知慣用技術を付加することにより、本願発明１の前記相違点に係る「写真自動販売機の使用者の在室状況に関する情報を提示する第１の提示手段」を備えるようにすることは、当業者が格別の困難性を要することなく容易に想到できることである。
　
　そして、本願発明１の奏する作用効果は、引用発明１及び周知慣用技術から予測できる範囲内のものであって、格別のものということができない。
　
（３）まとめ
　したがって、本願発明１は、本願特許出願前に当業者が上記引用発明１及び周知慣用技術に基いて容易に発明をすることができたものである。
　
４　むすび
　以上のとおりであり、請求項１に係る本願発明１は、本願特許出願前に当業者が上記引用発明１及び周知慣用技術に基いて容易に発明をすることができたものであり、本願発明１は特許法第２９条第２項の規定により特許を受けることができないから、他の請求項に係る発明について検討するまでもなく、本願は、拒絶されるべきである。
　よって、結論のとおり審決する。